(57)【要約】【課題】  彩度を低下させることなく、再分散性を向上可能な顔料を用いたインクジェット記録用水性インクを提供する。【解決手段】  本発明のインクジェット記録用水性インクは、顔料及び水を含むインクジェット記録用水性インクであって、さらに、前記水性インクが、１，２−アルカンジオール及び一般式（１）で表される界面活性剤を含むことを特徴とする。 Ｒ１ＣＯＮ（ＣＨ３）ＣＨ２ＣＨ２Ｒ２      ・・・（１）一般式（１）において、Ｒ１は、炭素原子数９〜１９の飽和又は不飽和の炭化水素基であり、前記炭化水素基は、直鎖でも分岐鎖でもよく、Ｒ２は、ＳＯ３Ｍ若しくはＣＯＯＭであり、Ｍは、Ｌｉ、Ｎａ若しくはＫである。 【選択図】  なし【特許請求の範囲】
【請求項１】
顔料及び水を含むインクジェット記録用水性インクであって、
さらに、前記水性インクが、１，２−アルカンジオール及び一般式（１）で表される界面活性剤を含むことを特徴とするインクジェット記録用水性インク。
Ｒ１ＣＯＮ（ＣＨ３）ＣＨ２ＣＨ２Ｒ２      ・・・（１）
一般式（１）において、
Ｒ１は、炭素原子数９〜１９の飽和又は不飽和の炭化水素基であり、前記炭化水素基は、直鎖でも分岐鎖でもよく、
Ｒ２は、ＳＯ３Ｍ若しくはＣＯＯＭであり、
Ｍは、Ｌｉ、Ｎａ若しくはＫである。
【請求項２】
１，２−アルカンジオール及び一般式（１）で表される界面活性剤が、下記（Ａ）〜（Ｃ）の条件を満たすように配合されていることを特徴とする請求項１記載のインクジェット記録用水性インク。
（Ａ）  ５≦ｘ≦３０
（Ｂ）  ０．１≦ｙ≦１
（Ｃ）  ｙ≧−０．０５ｘ＋０．７５
ｘ：水性インク全量に対する１，２−アルカンジオールの配合量（重量％）
ｙ：水性インク全量に対する一般式（１）で表される界面活性剤の配合量（重量％）
【請求項３】
１，２−アルカンジオール及び一般式（１）で表される界面活性剤が、前記（Ａ）〜（Ｃ）の条件に代えて、下記（Ｄ）〜（Ｆ）の条件を満たすように配合されていることを特徴とする請求項２記載のインクジェット記録用水性インク。
（Ｄ）  ５≦ｘ≦２５
（Ｅ）  ０．３≦ｙ≦１
（Ｆ）  ｙ≧−０．０５ｘ＋１．２５
ｘ：水性インク全量に対する１，２−アルカンジオールの配合量（重量％）
ｙ：水性インク全量に対する一般式（１）で表される界面活性剤の配合量（重量％）
【請求項４】
インクジェット記録用水性インクを含むインクカートリッジであって、前記水性インクが、請求項１〜３のいずれか一項に記載のインクジェット記録用水性インクであることを特徴とするインクカートリッジ。
【請求項５】
インク収容部及びインク吐出手段を含み、前記インク収容部に収容されたインクを前記インク吐出手段によって吐出するインクジェット記録装置であって、
前記インク収容部に、請求項１〜３のいずれか一項に記載のインクジェット記録用水性インクが収容されていることを特徴とするインクジェット記録装置。
【発明の詳細な説明】
【技術分野】
【０００１】
本発明は、インクジェット記録用水性インク、インクカートリッジ及びインクジェット記録装置に関する。
【背景技術】
【０００２】
顔料を用いたインクジェット記録用水性インク（以下、「水性顔料インク」と言うことがある。）において、安定した吐出を可能とするために、所定量の１，２−アルカンジオールを添加することが提案されている（特許文献１及び２）。
【先行技術文献】
【特許文献】
【０００３】
【特許文献１】特許第４７６４５６２号公報
【特許文献２】特許第４７６４５６３号公報
【発明の概要】
【発明が解決しようとする課題】
【０００４】
しかし、水性顔料インクに１，２−アルカンジオールを添加すると、彩度が向上する一方、再分散性が低下する。そこで、再分散性を向上させるために、水性顔料インクに界面活性剤を添加することが考えられる。しかし、界面活性剤の種類によっては、彩度が低下するという問題がある。
【０００５】
そこで、本発明は、彩度を低下させることなく、再分散性を向上可能な顔料を用いたインクジェット記録用水性インクを提供することを目的とする。
【課題を解決するための手段】
【０００６】
前記目的を達成するために、本発明のインクジェット記録用水性インクは、
顔料及び水を含むインクジェット記録用水性インクであって、
さらに、前記水性インクが、１，２−アルカンジオール及び一般式（１）で表される界面活性剤を含むことを特徴とする。
Ｒ１ＣＯＮ（ＣＨ３）ＣＨ２ＣＨ２Ｒ２      ・・・（１）
一般式（１）において、
Ｒ１は、炭素原子数９〜１９の飽和又は不飽和の炭化水素基であり、前記炭化水素基は、直鎖でも分岐鎖でもよく、
Ｒ２は、ＳＯ３Ｍ若しくはＣＯＯＭであり、
Ｍは、Ｌｉ、Ｎａ若しくはＫである。
【発明の効果】
【０００７】
本発明によれば、水性顔料インクにおいて、１，２−アルカンジオール及び一般式（１）で表される界面活性剤を併用することで、彩度を低下させることなく、再分散性を向上可能である。
【図面の簡単な説明】
【０００８】
【図１】図１は、本発明のインクジェット記録装置の構成の一例を示す概略斜視図である。
【発明を実施するための形態】
【０００９】
本発明において、インクジェット記録用水性インク（以下、「水性インク」又は「インク」と言うことがある。）の再分散性とは、例えば、水性インクが一度蒸発乾固し、固形物が生じた後、新たに水性インクと接触した際の前記固形物の溶解性及び分散性を意味する。水性インクの再分散性は、例えば、後述の実施例に記載の方法で測定できる。
【００１０】
本発明の水性インクについて説明する。本発明の水性インクは、顔料及び水を含む。
【００１１】
本発明において、前記顔料は、限定されず、例えば、カーボンブラック、無機顔料及び有機顔料等があげられる。前記カーボンブラックとしては、例えば、ファーネスブラック、ランプブラック、アセチレンブラック、チャンネルブラック等があげられる。前記無機顔料としては、例えば、酸化チタン、酸化鉄系及びカーボンブラック系等をあげることができる。前記有機顔料としては、例えば、アゾレーキ、不溶性アゾ顔料、縮合アゾ顔料、キレートアゾ顔料等のアゾ顔料；フタロシアニン顔料、ペリレン及びペリノン顔料、アントラキノン顔料、キナクリドン顔料、ジオキサジン顔料、チオインジゴ顔料、イソインドリノン顔料、キノフタロン顔料等の多環式顔料；塩基性染料型レーキ顔料、酸性染料型レーキ顔料等の染料レーキ顔料；ニトロ顔料、ニトロソ顔料、アニリンブラック昼光蛍光顔料等があげられる。また、その他の顔料であっても水相に分散可能なものであれば使用できる。これらの顔料の具体例としては、例えば、Ｃ．Ｉ．ピグメントブラック１、６及び７；Ｃ．Ｉ．ピグメントイエロー１、２、３、１２、１３、１４、１５、１６、１７、５５、７３、７４、７５、８３、９３、９４、９５、９７、９８、１１４、１２８、１２９、１３８、１５０、１５１、１５４、１８０、１８５及び１９４；Ｃ．Ｉ．ピグメントオレンジ３１及び４３；Ｃ．Ｉ．ピグメントレッド２、３、５、６、７、１２、１５、１６、４８、４８：１、５３：１、５７、５７：１、１１２、１２２、１２３、１３９、１４４、１４６、１４９、１６６、１６８、１７５、１７６、１７７、１７８、１８４、１８５、１９０、２０２、２２１、２２２、２２４及び２３８；Ｃ．Ｉ．ピグメントバイオレット１９６；Ｃ．Ｉ．ピグメントブルー１、２、３、１５、１５：１、１５：２、１５：３、１５：４、１６、２２及び６０；Ｃ．Ｉ．ピグメントグリーン７及び３６等があげられる。
【００１２】
前記顔料は、自己分散型顔料であってもよい。前記自己分散型顔料は、例えば、顔料粒子にカルボニル基、ヒドロキシル基、カルボン酸基、スルホン酸基、リン酸基等の親水性官能基及びそれらの塩の少なくとも一種が、直接又は他の基を介して化学結合により導入されていることによって、分散剤を使用しなくても水に分散可能なものである。前記自己分散型顔料は、例えば、特開平８−３４９８号公報、特表２０００−５１３３９６号公報、特表２００８−５２４４００号公報、特表２００９−５１５００７号公報等に記載の方法によって顔料が処理されたものを用いることができる。前記自己分散型顔料の原料としては、無機顔料及び有機顔料のいずれも使用することができる。また、前記処理を行うのに適した顔料としては、例えば、三菱化学（株）製の「ＭＡ８」及び「ＭＡ１００」等のカーボンブラックがあげられる。前記自己分散型顔料は、例えば、市販品を用いてもよい。前記市販品としては、例えば、キャボット・スペシャルティ・ケミカルズ社製の「ＣＡＢ−Ｏ−ＪＥＴ（登録商標）２００」、「ＣＡＢ−Ｏ−ＪＥＴ（登録商標）２５０Ｃ」、「ＣＡＢ−Ｏ−ＪＥＴ（登録商標）２６０Ｍ」、「ＣＡＢ−Ｏ−ＪＥＴ（登録商標）２７０Ｙ」、「ＣＡＢ−Ｏ−ＪＥＴ（登録商標）３００」、「ＣＡＢ−Ｏ−ＪＥＴ（登録商標）４００」、「ＣＡＢ−Ｏ−ＪＥＴ（登録商標）４５０Ｃ」、「ＣＡＢ−Ｏ−ＪＥＴ（登録商標）４６５Ｍ」及び「ＣＡＢ−Ｏ−ＪＥＴ（登録商標）４７０Ｙ」；オリエント化学工業（株）製の「ＢＯＮＪＥＴ（登録商標）ＢＬＡＣＫ  ＣＷ−２」及び「ＢＯＮＪＥＴ（登録商標）ＢＬＡＣＫ  ＣＷ−３」；東洋インキ製造（株）製の「ＬＩＯＪＥＴ（登録商標）ＷＤ  ＢＬＡＣＫ  ００２Ｃ」；等があげられる。
【００１３】
前記水性インク全量に対する前記顔料の固形分配合量（顔料固形分量）は、特に限定されず、例えば、所望の光学濃度又は色彩等により、適宜決定できる。前記顔料固形分量は、例えば、０．１重量％〜２０重量％であり、好ましくは、１重量％〜１５重量％であり、より好ましくは、２重量％〜１０重量％である。
【００１４】
前記水性インクは、顔料以外の着色剤を含んでもよい。前記顔料以外の着色剤としては、例えば、染料等があげられる。
【００１５】
前記水は、イオン交換水又は純水であることが好ましい。前記水性インク全量に対する前記水の配合量（水割合）は、例えば、１０重量％〜９０重量％であり、インク化の観点では、好ましくは、４０重量％〜８０重量％である。前記水割合は、例えば、他の成分の残部としてもよい。
【００１６】
前述のとおり、前記水性インクは、さらに、１，２−アルカンジオール及び一般式（１）で表される界面活性剤を含む。水性顔料インクにおいて、１，２−アルカンジオール及び一般式（１）で表される界面活性剤を併用することで、彩度を下げることなく、再分散性を向上させることが可能となる。この再分散性向上のメカニズムは、例えば、つぎのように推測される。すなわち、一般式（１）で表される界面活性剤では、分子中の窒素原子（Ｎ）がアシル基と結合していることにより正電荷（＋）を帯び、Ｒ２におけるＳＯ３若しくはＣＯＯが負電荷（−）を帯びている。これらの電荷と自己分散型顔料表面の官能基との相互作用により、顔料粒子同士の分散状態が良好に保たれていると考えられる。また、一般式（１）で表される界面活性剤の分子中のＮと結合しているメチル基の存在により、一般式（１）で表される界面活性剤と顔料粒子との間に適度な距離が保たれていると考えられる。このことも、再分散性に寄与していると推測できる。ただし、このメカニズムは推測であり、本発明を限定するものではない。
【００１７】
１，２−アルカンジオールとしては、例えば、１，２−エタンジオール（１，２ＥＤＬ）、１，２−プロパンジオール（１，２ＰｒＤＬ）、１，２−ブタンジオール（１，２ＢＤＬ）、１，２−ペンタンジオール（１，２ＰｅＤＬ）、１，２−ヘキサンジオール（１，２ＨＤＬ）等があげられる。
【００１８】
一般式（１）で表される界面活性剤としては、例えば、メチルタウリン酸塩、アラニネート塩等があげられる。一般式（１）で表される界面活性剤は、例えば、市販品を用いてもよい。前記市販品としては、例えば、ライオン（株）製の「リポタック（登録商標）ＴＥ」及び「エナジコール（登録商標）  Ｌ−３０ＡＮ」等があげられる。
【００１９】
１，２−アルカンジオール及び一般式（１）で表される界面活性剤は、下記（Ａ）〜（Ｃ）の条件を満たすように配合されていることが好ましく、下記（Ｄ）〜（Ｆ）の条件を満たすように配合されていることがより好ましい。
（Ａ）  ５≦ｘ≦３０
（Ｂ）  ０．１≦ｙ≦１
（Ｃ）  ｙ≧−０．０５ｘ＋０．７５
（Ｄ）  ５≦ｘ≦２５
（Ｅ）  ０．３≦ｙ≦１
（Ｆ）  ｙ≧−０．０５ｘ＋１．２５
ｘ：水性インク全量に対する１，２−アルカンジオールの配合量（重量％）
ｙ：水性インク全量に対する一般式（１）で表される界面活性剤の配合量（重量％）
【００２０】
前記水性インクは、さらに、１，２−アルカンジオール以外の水溶性有機溶剤を含んでもよい。前記水溶性有機溶剤としては、例えば、インクジェットヘッドのノズル先端部における水性インクの乾燥を防止する湿潤剤及び記録媒体上での乾燥速度を調整する浸透剤があげられる。
【００２１】
前記湿潤剤は、特に限定されず、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の低級アルコール；ジメチルホルムアミド、ジメチルアセトアミド等のアミド；アセトン等のケトン；ジアセトンアルコール等のケトアルコール；テトラヒドロフラン、ジオキサン等のエーテル；ポリアルキレングリコール等のポリエーテル；アルキレングリコール、グリセリン、トリメチロールプロパン等の多価アルコール；２−ピロリドン；Ｎ−メチル−２−ピロリドン；１，３−ジメチル−２−イミダゾリジノン等があげられる。前記ポリアルキレングリコールは、例えば、ポリエチレングリコール、ポリプロピレングリコール等があげられる。前記アルキレングリコールは、例えば、ジエチレングリコール、トリエチレングリコール、ジプロピレングリコール、トリプロピレングリコール、チオジグリコール、ヘキシレングリコール等があげられる。これらの湿潤剤は、１種類を単独で用いてもよいし、２種類以上を併用してもよい。これらの中で、アルキレングリコール、グリセリン等の多価アルコールが好ましい。
【００２２】
前記水性インク全量に対する前記湿潤剤の配合量は、例えば、０重量％〜９５重量％であり、好ましくは、５重量％〜８０重量％であり、より好ましくは、５重量％〜５０重量％である。
【００２３】
前記浸透剤は、例えば、グリコールエーテルがあげられる。前記グリコールエーテルは、例えば、エチレングリコールメチルエーテル、エチレングリコールエチルエーテル、エチレングリコール−ｎ−プロピルエーテル、ジエチレングリコールメチルエーテル、ジエチレングリコールエチルエーテル、ジエチレングリコール−ｎ−プロピルエーテル、ジエチレングリコール−ｎ−ブチルエーテル、ジエチレングリコール−ｎ−ヘキシルエーテル、トリエチレングリコールメチルエーテル、トリエチレングリコールエチルエーテル、トリエチレングリコール−ｎ−プロピルエーテル、トリエチレングリコール−ｎ−ブチルエーテル、プロピレングリコールメチルエーテル、プロピレングリコールエチルエーテル、プロピレングリコール−ｎ−プロピルエーテル、プロピレングリコール−ｎ−ブチルエーテル、ジプロピレングリコールメチルエーテル、ジプロピレングリコールエチルエーテル、ジプロピレングリコール−ｎ−プロピルエーテル、ジプロピレングリコール−ｎ−ブチルエーテル、トリプロピレングリコールメチルエーテル、トリプロピレングリコールエチルエーテル、トリプロピレングリコール−ｎ−プロピルエーテル及びトリプロピレングリコール−ｎ−ブチルエーテル等があげられる。前記浸透剤は、１種類を単独で用いてもよいし、２種類以上を併用してもよい。
【００２４】
前記水性インク全量に対する前記浸透剤の配合量は、例えば、０重量％〜２０重量％であり、好ましくは、０．１重量％〜１５重量％であり、より好ましくは、０．５重量％〜１０重量％である。
【００２５】
前記水性インクは、必要に応じて、さらに、従来公知の添加剤を含んでもよい。前記添加剤としては、例えば、一般式（１）で表される界面活性剤以外の界面活性剤、ｐＨ調整剤、粘度調整剤、表面張力調整剤、防黴剤等があげられる。前記粘度調整剤は、例えば、ポリビニルアルコール、セルロース、水溶性樹脂等があげられる。
【００２６】
前記水性インクは、例えば、顔料、水、１，２−アルカンジオール及び一般式（１）で表される界面活性剤と、必要に応じて他の添加成分とを、従来公知の方法で均一に混合し、フィルタ等で不溶解物を除去することにより調製できる。
【００２７】
つぎに、本発明のインクカートリッジについて説明する。本発明のインクカートリッジは、インクジェット記録用水性インクを含むインクカートリッジであって、前記水性インクが、本発明のインクジェット記録用水性インクであることを特徴とする。前記インクカートリッジの本体としては、例えば、従来公知のものを使用できる。
【００２８】
つぎに、本発明のインクジェット記録装置及びインクジェット記録方法について説明する。
【００２９】
本発明のインクジェット記録装置は、インク収容部及びインク吐出手段を含み、前記インク収容部に収容されたインクを前記インク吐出手段によって吐出するインクジェット記録装置であって、前記インク収容部に、本発明のインクジェット記録用水性インクが収容されていることを特徴とする。
【００３０】
本発明のインクジェット記録方法は、記録媒体に水性インクをインクジェット方式により吐出して記録するインクジェット記録方法であって、前記水性インクとして、本発明のインクジェット記録用水性インクを用いることを特徴とする。
【００３１】
本発明のインクジェット記録方法は、例えば、本発明のインクジェット記録装置を用いて実施可能である。前記記録は、印字、印画、印刷等を含む。
【００３２】
図１に、本発明のインクジェット記録装置の一例の構成を示す。図示のとおり、このインクジェット記録装置１は、４つのインクカートリッジ２と、インク吐出手段（インクジェットヘッド）３と、ヘッドユニット４と、キャリッジ５と、駆動ユニット６と、プラテンローラ７と、パージ装置８とを主要な構成要素として含む。
【００３３】
４つのインクカートリッジ２は、イエロー、マゼンタ、シアン及びブラックの４色の水性インクを、それぞれ１色ずつ含む。例えば、前記水性イエローインク、前記水性マゼンタインク及び前記水性シアンインクが、本発明のインクジェット記録用水性インクである。前記水性ブラックインクは、一般的な水性ブラックインクを用いてよい。ヘッドユニット４に設置されたインクジェットヘッド３は、記録媒体（例えば、記録用紙）Ｐに記録を行う。キャリッジ５には、４つのインクカートリッジ２及びヘッドユニット４が搭載される。駆動ユニット６は、キャリッジ５を直線方向に往復移動させる。駆動ユニット６としては、例えば、従来公知のものを使用できる（例えば、特開２００８−２４６８２１号公報参照）。プラテンローラ７は、キャリッジ５の往復方向に延び、インクジェットヘッド３と対向して配置されている。
【００３４】
パージ装置８は、インクジェットヘッド３の内部に溜まる気泡等を含んだ不良インクを吸引する。パージ装置８としては、例えば、従来公知のものを使用できる（例えば、特開２００８−２４６８２１号公報参照）。
【００３５】
パージ装置８のプラテンローラ７側には、パージ装置８に隣接してワイパ部材２０が配設されている。ワイパ部材２０は、へら状に形成されており、キャリッジ５の移動に伴って、インクジェットヘッド３のノズル形成面を拭うものである。図１において、キャップ１８は、水性インクの乾燥を防止するため、記録が終了するとリセット位置に戻されるインクジェットヘッド３の複数のノズルを覆うものである。
【００３６】
本例のインクジェット記録装置１においては、４つのインクカートリッジ２は、ヘッドユニット４と共に、１つのキャリッジ５に搭載されている。ただし、本発明は、これに限定されない。前記インクジェット記録装置において、４つのインクカートリッジ２の各カートリッジは、ヘッドユニット４とは別のキャリッジに搭載されていてもよい。また、４つのインクカートリッジ２の各カートリッジは、キャリッジ５には搭載されず、インクジェット記録装置内に配置、固定されていてもよい。これらの態様においては、例えば、４つのインクカートリッジ２の各カートリッジと、キャリッジ５に搭載されたヘッドユニット４とが、チューブ等により連結され、４つのインクカートリッジ２の各カートリッジからヘッドユニット４に前記水性インクが供給される。
【００３７】
このインクジェット記録装置１を用いたインクジェット記録は、例えば、つぎのようにして実施される。まず、記録用紙Ｐが、インクジェット記録装置１の側方又は下方に設けられた給紙カセット（図示せず）から給紙される。記録用紙Ｐは、インクジェットヘッド３と、プラテンローラ７との間に導入される。導入された記録用紙Ｐに、インクジェットヘッド３から吐出される水性インクにより所定の記録がされる。本発明の水性インクは、再分散性に優れるため、インクジェットヘッド３からの安定した吐出が可能である。記録後の記録用紙Ｐは、インクジェット記録装置１から排紙される。本発明の水性インクによれば、彩度に優れた記録物を得ることができる。図１においては、記録用紙Ｐの給紙機構及び排紙機構の図示を省略している。
【００３８】
図１に示す装置では、シリアル型インクジェットヘッドを採用するが、本発明は、これに限定されない。前記インクジェット記録装置は、ライン型インクジェットヘッドを採用する装置であってもよい。
【実施例】
【００３９】
つぎに、本発明の実施例について比較例と併せて説明する。なお、本発明は、下記の実施例及び比較例により限定及び制限されない。
【００４０】
［実施例１〜２１及び比較例１〜１１］
水性インク組成（表２又は表３）における、自己分散型顔料を除く成分を、均一に混合しインク溶媒を得た。つぎに、水に分散させた自己分散型顔料に前記インク溶媒を加え、均一に混合した。その後、得られた混合物を、東洋濾紙（株）製のセルロースアセテートタイプメンブレンフィルタ（孔径３．００μｍ）でろ過することで、実施例１〜２１及び比較例１〜１１のインクジェット記録用水性インクを得た。
【００４１】
実施例及び比較例の水性インクについて、（ａ）彩度評価、（ｂ）再分散性評価及び（ｃ）総合評価を、下記方法により実施した。
【００４２】
（ａ）彩度評価
実施例及び比較例の水性インクを、普通紙（Ｉｎｔｅｒｎａｔｉｏｎａｌ  Ｐａｐｅｒ社製のＨａｍｍｅｒ  Ｍｉｌｌ  Ｌａｓｅｒ  Ｐｒｉｎｔ  ２４ｌｂ）にバーコータを用いて約２０ｇ／ｍ２の割合で横約５ｃｍ×縦約１０ｃｍの領域に塗布した後、乾燥させて評価用サンプルを作成した。前記評価サンプルの彩度（Ｃ＊）を、Ｘ−Ｒｉｔｅ社製の分光測色計ＳｐｅｃｔｒｏＥｙｅ（光源：Ｄ５０、視野角：２°、濃度：ＡＮＳＩ  Ｔ）により測定し、下記評価基準に従って評価した。
【００４３】
彩度評価  評価基準
【表１】
2014198770.tif 000002
【００４４】
（ｂ）再分散性評価
実施例及び比較例の水性インク１０μＬを、スライドガラス上に滴下した。ついで、前記スライドガラスを、温度６０℃、相対湿度４０％の環境下にて１日保存することで、前記水性インクを蒸発乾固させた。つぎに、前記保存後の固形物上に純水を１ｍＬ滴下した。このようにして作製した評価サンプル中の粗大粒子及び異物の有無を目視及び顕微鏡（倍率２００倍）にて観察し、下記評価基準に従って再分散性を評価した。
【００４５】
再分散性評価  評価基準
ＡＡ：純水の滴下により前記固形物がすぐに再分散（純水に溶解・分散）し、顕微鏡観察においても、粗大粒子及び異物は確認されなかった。
Ａ  ：純水の滴下により前記固形物がすぐに再分散し、目視観察では粗大粒子及び異物は確認されなかったが、顕微鏡観察で粗大粒子及び異物が確認された。
Ｂ  ：目視観察で粗大粒子及び異物が確認された。
Ｃ  ：全く再分散しなかった。
【００４６】
（ｃ）総合評価
各水性インクについて、前記（ａ）及び（ｂ）の結果から、下記評価基準に従って総合評価を行った。
【００４７】
総合評価  評価基準
Ｇ  ：（ａ）及び（ｂ）の評価結果が共にＡ以上であった。
ＮＧ：（ａ）及び（ｂ）の評価結果のいずれか又は双方がＢ以下であったか、水性インクを調製できず、（ａ）及び（ｂ）の評価を実施できなかった。
【００４８】
実施例の水性インクの水性インク組成及び評価結果を、表２に示す。また、比較例の水性インクの水性インク組成及び評価結果を、表３に示す。
【００４９】
【表２】
2014198770.tif 000003
【００５０】
【表３】
2014198770.tif 000004
【００５１】
表２に示すとおり、実施例１〜２１では、彩度評価及び再分散性評価の結果が共に良好であった。特に、１，２−アルカンジオール及び一般式（１）で表される界面活性剤が前記（Ａ）〜（Ｃ）の条件を満たすように配合された実施例１、２、５〜９、１１、１４、１７、１８及び２１では、彩度評価及び再分散性評価のいずれか一方が極めて良好であり、前記（Ｄ）〜（Ｆ）の条件を満たすように配合された、実施例４、１０、１２、１３、１５及び１６では、彩度評価及び再分散性評価の双方が極めて良好であった。
【００５２】
一方、表３に示すとおり、一般式（１）で表される界面活性剤を用いなかった比較例１、３及び４では、再分散性評価の結果が悪かった。また、１，２−アルカンジオールを用いなかった比較例２では、不溶解物が生じて水性インクとすることができず、彩度評価及び再分散性評価を実施できなかった。そして、１，２−アルカンジオールに代えて、１，５−ペンタンジオールを用いた実施例５では、彩度評価の結果が悪かった。さらに、一般式（１）で表される界面活性剤に代えて、それ以外の界面活性剤を用いた比較例６〜８では、彩度評価及び再分散性評価の結果が悪く、比較例９では、再分散性評価の結果が極めて悪かった。
【産業上の利用可能性】
【００５３】
以上のように、本発明の水性インクは、彩度を低下させることなく、再分散性を向上可能なものである。本発明の水性インクの用途は、特に限定されず、各種のインクジェット記録に広く適用可能である。
【符号の説明】
【００５４】
１          インクジェット記録装置
２          インクカートリッジ
３          インク吐出手段（インクジェットヘッド）
４          ヘッドユニット
５          キャリッジ
６          駆動ユニット
７          プラテンローラ
８          パージ装置
【図１】
2014198770.tif 000005